(57)【要約】【課題】容器の上蓋を確実に錠止し得るウェットシート収納容器を得る。【解決手段】上蓋２の閉止時には、上蓋２は後方に移動した状態であり、両側の回転軸２ｃは回転軸受溝１ｅの平行部１ｆに位置しており、この状態で回転軸２ｃの回動が不能とされている。また、容器本体１の係止片１ｋは上蓋２の係止溝２ｅの係止位置に位置しているため、これによっても上蓋２が開くことはない。  上蓋２を開けるには、上蓋２の後部を押して上蓋２を前方に摺動させる。これにより、回転軸２ｃは回転軸受溝１ｅの円形部１ｇに移動し、また容器本体１の係止片１ｋは上蓋２の係止溝２ｅの開放部に位置するので、上蓋２はばね４の付勢力により上方に回動する。【選択図】図５
2013116752.tif 000002
【特許請求の範囲】
【請求項１】
上部にシート取出口を設けウェットシートの積層体を内部に収納する容器本体と、該容器本体の前記シート取出口に対しヒンジ機構により開閉自在な上蓋と、該上蓋に開放方向に付勢力を与える弾性部材とを備えたウェットシート収納容器において、前記上蓋はその閉止状態において前記容器本体に対し水平方向に摺動可能とし、前記上蓋が何れか一方向に摺動した位置において前記上蓋を前記ヒンジ機構により開動可能としたことを特徴とするウェットシート収納容器。
【請求項２】
前記上蓋に係止溝を設けると共に前記容器本体に係止片を設け、前記上蓋を閉止し摺動することにより前記係止溝に前記係止片が係合することを特徴とする請求項１に記載のウェットシート収納容器。
【請求項３】
前記容器本体に傾斜面を有する摺動ガイド片を設け、前記上蓋の前端を前記摺動ガイド片の傾斜面に当接して下方に押し込むことにより、前記上蓋が前記傾斜部に案内されて後方に移動し、前記係止溝と前記係止片により仮係止を行うことを特徴とする請求項２に記載のウェットシート収納容器。
【請求項４】
前記ヒンジ機構は前記上蓋の両側に設けた回転軸と前記容器本体に設けた長溝との組合わせから成ることを特徴とする請求項１〜３の何れか１つの請求項に記載のウェットシート収納容器。
【請求項５】
前記回転軸は円柱形をＤカット状に一部を平坦にした形状とし、前記長溝は円形部と該円形部の径よりも幅が狭い平行部との組合わせとし、前記回転軸が前記円形部に位置したときに前記上蓋は開閉可能とし、前記回転軸が前記平行部に位置したときに前記上蓋を前後に摺動可能としたことを特徴とする請求項４に記載のウェットシート収納容器。
【請求項６】
前記容器本体には前記上蓋の摺動及び開放を規制するための開閉錠止部を設け、前記容器本体の外部から前記開閉錠止部を操作するようにしたことを特徴とする請求項１〜５の何れか１つの請求項に記載のウェットシート収納容器。
【発明の詳細な説明】
【技術分野】
【０００１】
本発明は、清掃用のウェットシートを収納するウェットシート収納容器に関するものである。
【背景技術】
【０００２】
通常、顔や乳幼児の尻等を拭くためのウェットシートは、合成フィルム製パックにより密封されて販売されており、使用時には開口部に粘着剤により接着された粘着シートをめくり、ウェットシートを１枚ずつ引き出して使用する。
【０００３】
しかし、例えば乳幼児を抱えたまま、その都度、片手で粘着シートを剥がし、ウェットシートを１枚ずつパックから取り出すのはなかなか面倒である。
【０００４】
そこで、例えば特許文献１に示すように、ウェットシートパックを収容し、ワンタッチで蓋部を開閉し、ウェットシートを取り出すための蓋付収納容器が知られている。
【先行技術文献】
【特許文献】
【０００５】
【特許文献１】特開２０１０−１１６１９９号公報
【発明の概要】
【発明が解決しようとする課題】
【０００６】
しかし、特許文献１のような蓋付収納容器においては、蓋部の閉止を維持する機構はあるものの解除が容易なため、乳幼児や子供が悪戯で蓋部を開けて中身のウェットシートを取り出したり、蓋部を開けたままにすると、ウェットシートが乾燥してしまうという問題がある。
【０００７】
本発明の目的は、蓋部の開閉構造を稍々複雑なものとし、不時に蓋部が開かないようにしたウェットシート収納容器を提供することにある。
【課題を解決するための手段】
【０００８】
上記の課題を解決するための本発明に係るウェットシート収納容器は、上部にシート取出口を設けウェットシートの積層体を内部に収納する容器本体と、該容器本体の前記シート取出口に対しヒンジ機構により開閉自在な上蓋と、該上蓋に開放方向に付勢力を与える弾性部材とを備えたウェットシート収納容器において、前記上蓋はその閉止状態において前記容器本体に対し水平方向に摺動可能とし、前記上蓋が何れか一方向に摺動した位置において前記上蓋を前記ヒンジ機構により開動可能としたことを特徴とする。
【発明の効果】
【０００９】
本発明に係るウェットシート収納容器によれば、閉じた蓋部を摺動させて蓋部の閉止を維持することにより、乳幼児や子供が簡便に蓋部を開けることを防止できる。
【図面の簡単な説明】
【００１０】
【図１】ウェットシート収納容器の上蓋を閉止した状態の斜視図である。
【図２】上蓋を開いた状態の斜視図である。
【図３】上蓋を取り外した状態の容器本体の斜視図である。
【図４】上蓋の斜視図である。
【図５】上蓋を閉止した状態の断面図である。
【図６】開閉錠止部の説明図である。
【図７】上蓋を開閉可能位置に移動した状態の断面図である。
【図８】上蓋を開いた状態の断面図である。
【発明を実施するための形態】
【００１１】
本発明を図示の実施例に基づいて詳細に説明する。
図１は本実施例におけるウェットシートを収納する合成樹脂製のウェットシート収納容器の上蓋を閉止した状態の斜視図、図２は上蓋を開いた状態の斜視図である。容器本体１の上部には上蓋２が設けられ、下部は下蓋３により閉塞されている。
【００１２】
容器本体１の上面には、周囲よりも低段となった凹部１ａが形成され、その中央部には、容器本体１内に収納されたウェットシートを取り出すためのシート取出口１ｂが開口されている。そして、シート取出口１ｂの周縁は立ち上げ部１ｃとされ、上蓋２を閉止した状態で、立ち上げ部１ｃの上端は上蓋２の裏側にほぼ密着するようにされている。
【００１３】
上蓋２の前後方向の長さは、容器本体１の凹部１ａの前後方向の長さよりも短くされ、上蓋２は容器本体１に対して後方の後述するヒンジ機構により連結され開閉自在とされている。この上蓋２の周囲には立ち下がり部２ａが設けられ、上蓋２を閉止すると上蓋２は凹部１ａ内に収容され、上蓋２の表面２ｂは容器本体１の上面と面一とされている。
【００１４】
図３は上蓋２を取り外した容器本体１の斜視図であり、容器本体１のヒンジ機構寄りの凹部１ａには、更に一段と低くなった回転用凹部１ｄが設けられている。この回転用凹部１ｄの両側には水平方向を向く長溝から成る回転軸受溝１ｅ、１ｅが形成されており、この回転軸受溝１ｅ、１ｅの形状は長手方向の後部の所定幅の平行部１ｆと前部の略円形部１ｇの組み合わせとされている。
【００１５】
一方、図４は上蓋２の斜視図であり、上蓋２の後側のヒンジ機構の近傍の立ち下がり部２ａは半円弧状に成形されている。ヒンジ機構の一部として、上蓋２の後部の両側部から回転軸２ｃ、２ｃが外側に向けて突出され、回転軸２ｃ、２ｃは円柱形の一部がＤカット状に平坦に切欠されている。回転軸２ｃ、２ｃの円形の径は回転軸受溝１ｅ、１ｅの円形部１ｇの径とほぼ同等とされ、Ｄカットされた部分の径は平行部１ｆの幅とほぼ同等とされている。回転軸２ｃ、２ｃを容器本体１の回転軸受溝１ｅ、１ｅに嵌入することにより、上蓋２は容器本体１と一体化される。これにより、回転軸２ｃ、２ｃが円形部１ｇ、１ｇに位置すると上蓋２は上方に回動可能となり、平行部１ｆ、１ｆに位置すると上蓋２は凹部１ａ内において前後方向に摺動可能となる。
【００１６】
また、図５は上蓋２を閉止した状態の断面図である。容器本体１の回転用凹部１ｄの前側中央部には、更に一段と低いばね収容部１ｈが設けられており、このばね収容部１ｈの回転用凹部１ｄ寄りに溝状のばね端固定部１ｉが形成されている。
【００１７】
一方、上蓋２の裏側のヒンジ機構の近傍の中央部には、他方のばね端固定部２ｄが設けられている。例えば、合成ゴムから成り弾性部材として帯状のばね４の端部が、ばね端固定部１ｉ、ばね端固定部２ｄにそれぞれ取り付けられており、ばね４は上蓋２を前方に押し出すと共に、上蓋２を開放方向に押し上げる付勢力を備えている。
【００１８】
また、容器本体１の凹部１ａの前部中央には摺動ガイド片１ｊが突出されており、摺動ガイド片１ｊは内側に向けて傾斜面を有している。また、凹部１ａの前部両側の内壁から凹部１ａの内側に向けて係止片１ｋ、１ｋが突出されている。係止片１ｋ、１ｋの位置に相当する閉止した上蓋２の側面の立ち下がり部２ａには、斜め方向に向けて形成された係止溝２ｅ、２ｅが設けられ、係止溝２ｅ、２ｅの上部は係止片１ｋ、１ｋを係止可能とされ下部は開放されている。図５に示すような上蓋２を閉止した状態では、係止片１ｋ、１ｋは係止溝２ｅ、２ｅへの係止がなされ、上蓋２を開くことができないようにされている。
【００１９】
更に、容器本体１の上面の凹部１ａの外側には、上蓋２の前後方向への摺動移動を防止するための開閉錠止部５が設けられている。この開閉錠止部５は操作部５ａと突出部５ｂが容器本体１内において連結されており、操作部５ａは容器本体１の上面に設けた孔部１ｌ内に位置し、突出部５ｂは凹部１ａの内壁に設けた孔部１ｍ内に位置している。
【００２０】
これにより、図６の（ａ）から（ｂ）に示すように、操作部５ａを孔部１ｌにおいて凹部１ａの方向に押すと、突出部５ｂは孔部１ｍから凹部１ａに入り込むようにされている。一方、閉止した状態における上蓋２の側部の立ち下がり部２ａの突出部５ｂに相当する位置には、上蓋２の閉止時に突出部５ｂが入り込む錠止孔２ｆが設けられている。
【００２１】
また、必要に応じて上蓋２の表面２ｂには、上蓋２の開閉操作方向を示す開矢印２ｇ、閉矢印２ｈが刻印又は印刷されている。
【００２２】
図５に示す上蓋２の閉止時には、上蓋２は後方に移動した状態であり、ヒンジ機構の回転軸２ｃ、２ｃは回転軸受溝１ｅ、１ｅの平行部１ｆに位置しており、この状態で回転軸２ｃ、２ｃの回動が不能とされている。このとき、ばね４の長さには余剰が生じ、この余剰部はばね収容部１ｈに収容されている。また、この状態で容器本体１の係止片１ｋ、１ｋは上蓋２の係止溝２ｅ、２ｅの係止位置に位置しているため、これによっても上蓋２が開くことはない。
【００２３】
更には、開閉錠止部５の操作部５ａが押されて、突出部５ｂが上蓋２の錠止孔２ｆ内に挿入されていれば、この錠止により上蓋２を前後方向に平行移動することはできない。
【００２４】
使用時には、ウェットシートＳの積層体を入れたパックＰの開口部の粘着シートを剥し、パックＰを容器本体１の下蓋３を外して容器本体１の内部に収容し、再び容器本体１に下蓋３を装着する。
【００２５】
このような状態で、上蓋２を開けるには、開閉錠止部５の操作部５ａを動かして錠止を外してから、図７に示すように上蓋２の後部を押して上蓋２を前方に摺動させる。この摺動はばね４の前方への付勢力も作用するので軽く押すだけで足りる。この移動により、回転軸２ｃ、２ｃは回転軸受溝１ｅ、１ｅの円形部１ｇに移動し、また容器本体１の係止片１ｋ、１ｋは上蓋２の係止溝２ｅ、２ｅの開放部に位置する。この状態で、上蓋２から手を離すと、ばね４の上方への付勢力により、上蓋２は図２、図８に示すように上方に開放され、上蓋２はばね４によりこの開いた状態が維持されることになる。
【００２６】
ウェットシートＳの使用時には、上蓋２を開いた状態で容器本体１に内蔵されたパックＰのウェットシートＳの積層体からウェットシートＳを１枚ずつ引き出す。この状態において、使用者は容器本体１のシート取出口１ｂ内に指を挿し込み、最上層のウェットシートＳを摘み出すことができる。シート取出口１ｂの周縁には立ち上げ部１ｃが設けられているため、ウェットシートＳがシート取出口１ｂに引っ掛らずに容易に取り出すことができる。なお、ウェットシートＳは先端のウェットシートＳが引き出されると、次のウェットシートＳが引き上げられるように積層されていることが好ましい。
【００２７】
使用が終了し、上蓋２を閉じる際に上蓋２の表面２ｂを指で下方に押すと、上蓋２はヒンジ機構を介して回動し、図７に示すように上蓋２の前端の立ち下げ部１ｃの下縁が摺動ガイド片１ｊに当接する。更に上蓋２を下方に押し込むと、上蓋２は摺動ガイド片１ｊの傾斜面に案内されながら、ばね４の付勢力に抗して後方に若干移動し、係止溝２ｅ、２ｅの一部に係止片１ｋ、１ｋが仮係止して手を離しても閉止された状態となる。
【００２８】
続いて、上蓋２を更に後方に押して図５に示す位置に摺動すると、上蓋２の回転軸２ｃ、２ｃは容器本体１の回転軸受溝１ｅ、１ｅの平行部１ｆに押し込まれると共に、上蓋２の係止溝２ｅ、２ｅに容器本体１の係止片１ｋ、１ｋが完全に係止されるので、容器本体１に対して上蓋２が閉止状態で固定される。
【００２９】
この状態においては、シート取出口１ｂの立ち上げ部１ｃの上端が上蓋２の裏面に接するので、容器本体１内のウェットシートＳの乾燥が防止される。更に、開閉錠止部５を操作して上蓋２を容器本体１に対し錠止すれば、上蓋２が摺動が規制され、また上方開動しないようになる。
【００３０】
更に実施例においては、開閉錠止部５を設けているが、この開閉錠止部５は常時使用しなくともよく、或いは開閉錠止部５自体を省略することもできる。
【符号の説明】
【００３１】
１  容器本体
１ａ  凹部
１ｂ  シート取出口
１ｅ  回転軸受溝
１ｊ  摺動ガイド片
１ｋ  係止片
２  上蓋
２ａ  立ち下がり部
２ｂ  表面
２ｃ  回転軸
２ｅ  係止溝
３  下蓋
４  ばね
５  開閉錠止部
Ｐ  パック
Ｓ  ウェットシート
【図１】
2013116752.tif 000003
【図２】
2013116752.tif 000004
【図３】
2013116752.tif 000005
【図４】
2013116752.tif 000006
【図５】
2013116752.tif 000007
【図６】
2013116752.tif 000008
【図７】
2013116752.tif 000009
【図８】
2013116752.tif 000010